【事件の表示】
　特願２０００−３２９９５９「刺繍データ作成装置、ミシン及びコンピュータ読取可能な記録媒体。」拒絶査定不服審判事件〔平成１４年５月８日出願公開、特開２００２−１２６３８１〕について、次のとおり審決する。
【結　論】
　本件審判の請求は、成り立たない。
【理　由】
第１．手続の経緯
　本願は、平成１２年１０月３０日の出願であって、平成２３年１０月４日付けで拒絶査定がなされ、これに対し、同年１２月２８日付けで拒絶査定不服審判の請求がなされると同時に、同日付けで明細書についての手続補正がなされたものである。
　
第２．平成２３年１２月２８日付けの手続補正についての補正却下の決定
［補正却下の決定の結論］
　平成２３年１２月２８日付けの手続補正を却下する。
［理由］
　１．本件補正
　本件補正は、平成２２年９月３日付けで補正された明細書の【特許請求の範囲】の【請求項１】に記載された
「刺繍すべき模様を与えるための手段と、
　該模様の予め決められた配置を選択する手段と、
　前記模様を前記選択された配置で表示する手段と、
　前記模様を前記選択された配置で刺繍するように刺繍データを生成するための手段と、
　刺繍する範囲の大きさと刺繍枠の大きさに関する情報を与える手段と、
　該大きさに基づいて刺繍枠の付け替えを行わずに１回縫いできるか刺繍枠の付け替えを行い複数回縫いを行う必要があるかを判断する手段と、
　を備えた刺繍データ作成装置。」
を、
「刺繍すべき複数の模様に関するデータを記憶する記憶装置と、
　該複数の模様から任意の模様を選択する模様選択装置と、
　該模様の予め決められた複数の配置タイプを記憶する記憶装置と、該記憶された配置タイプから任意の配置タイプを選択する配置タイプ選択装置と、を有するオートレイアウト装置と、
前記模様の刺繍対象範囲を所定区域に分割し、該区域の中の１の区域について前記模様選択装置により模様を選択し、位置を設定することにより、分割されたすべての区域に同一の模様を同一の位置に配置する区域分割／配置装置と、
　前記選択された模様を前記オートレイアウト装置又は区域分割／配置装置により決定された配置で表示する手段と、
　前記模様を前記配置で刺繍するように刺繍データを生成するための手段と、
　刺繍する範囲の大きさと刺繍枠の大きさに関する情報を与える手段と、
　該大きさに基づいて刺繍枠の付け替えを行わずに１回縫いできるか刺繍枠の付け替えを行い複数回縫いを行う必要があるかを判断する手段と、
を備えた刺繍データ作成装置。」
とする補正を含んでいる。
　上記請求項１に係る補正は、（ａ）補正前の請求項１に規定された「刺繍すべき模様を与えるための手段」が、「刺繍すべき複数の模様に関するデータを記憶する記憶装置と、該複数の模様から任意の模様を選択する模様選択装置」からなるものであると限定して特定し、（ｂ）補正前の請求項１に規定された「該模様の予め決められた配置を選択する手段」が、「該模様の予め決められた複数の配置タイプを記憶する記憶装置と、該記憶された配置タイプから任意の配置タイプを選択する配置タイプ選択装置と、を有するオートレイアウト装置」であると限定して特定し、さらに、（ｃ）模様を配置する手段として、補正前の請求項５で「更に備えた」と規定していた手段を「模様の刺繍対象範囲を所定区域に分割し、該区域の中の１の区域について前記模様選択装置により模様を選択し、位置を設定することにより、分割されたすべての区域に同一の模様を同一の位置に配置する区域分割／配置装置」と限定して特定した装置を、刺繍データ作成装置の構成として追加するという補正事項を含んでおり、上記（ａ）（ｂ）（ｃ）に係る補正事項はいずれも補正前の請求項１に記載された事項を技術的に限定して特定するものであり、平成１８年法律第５５号改正附則第３条第１項によりなお従前の例とされる同法による改正前の特許法第１７条の２第４項第２号に規定される特許請求の範囲の減縮を目的とする補正に該当するものということができる。
　そこで、上記の補正事項を含む補正後の請求項１に記載された事項によって特定される発明が特許出願の際独立して特許を受けることができるものであるか（上記特許法第１７条の２第５項において準用する同法第１２６条第５項の規定に適合するか）について検討する。
　
　２．本願補正発明
　本件補正後の請求項１に係る発明は、補正後の特許請求の範囲の請求項１に記載された以下の事項により特定されるとおりのものと認める（以下、「本願補正発明」という。）。
「刺繍すべき複数の模様に関するデータを記憶する記憶装置と、
　該複数の模様から任意の模様を選択する模様選択装置と、
　該模様の予め決められた複数の配置タイプを記憶する記憶装置と、該記憶された配置タイプから任意の配置タイプを選択する配置タイプ選択装置と、を有するオートレイアウト装置と、
前記模様の刺繍対象範囲を所定区域に分割し、該区域の中の１の区域について前記模様選択装置により模様を選択し、位置を設定することにより、分割されたすべての区域に同一の模様を同一の位置に配置する区域分割／配置装置と、
　前記選択された模様を前記オートレイアウト装置又は区域分割／配置装置により決定された配置で表示する手段と、
　前記模様を前記配置で刺繍するように刺繍データを生成するための手段と、
　刺繍する範囲の大きさと刺繍枠の大きさに関する情報を与える手段と、
　該大きさに基づいて刺繍枠の付け替えを行わずに１回縫いできるか刺繍枠の付け替えを行い複数回縫いを行う必要があるかを判断する手段と、
を備えた刺繍データ作成装置。」
　
　３．引用文献の記載事項
（１）引用文献１の記載事項及び引用発明
　原査定の拒絶の理由に引用された特開平９−１５８０２９号公報（以下、「引用文献１」という。）には、「外殻模様縫い機能を有する刺繍縫いミシン及びデータの生成装置」の発明に関して以下の事項が図面とともに記載されている。
　
（ア）「所定の模様に対応する縫い目を形成するためのデータを与えるための手段と、
　該所定の模様を複数個連続的に配列するための配列形状に関する情報を与えるための手段と、
　前記所定の模様を所定の大きさと所定の数及び所定の間隔で、前記配列するための情報に基づいて配列するために、前記配列形状の大きさを決定するための手段と、
　を備えたことを特徴とする外殻模様縫いデータの生成装置。」（【特許請求の範囲】【請求項６】）
　
（イ）「縫い目を形成するためのデータを与えるための手段は、通常は縫い目データが格納された記憶装置及び読み出し装置であるが、画像を入力するイメージセンサ装置やＣＡＤ等の模様データ作成装置であっても良い。…（中略）…配列形状に関する情報を与えるための手段は、典型的にはループ状の外殻線を表す情報を与える。この配列形状は予め決められた形状であっても良いし、ユーザが作成したものを、イメージリーダやＣＡＤ等により入力しても良い。」（段落番号【０００４】の記載参照）
　
（ウ）「図１において、外殻データ付与手段１からは外殻を表すデータが与えられる。この外殻データ付与手段１は外殻データを記憶したメモリや他のデータ生成手段或いは原画を読み込んで信号化するイメージリーダやＣＡＤやコンピュータ等の図形入力装置であり、…（中略）…ユーザが任意に選択できるようになっている。…（中略）…外殻データ付与手段１からのデータは表示手段８において表示されると共に、外殻大きさ決定／模様配置調整手段６に入力するようになっている。
　同様に単位模様データ付与手段２からは単位模様を表すデータが与えられる。この単位模様データ付与手段２も模様データを記憶したメモリや他の模様データ生成手段等である。…（中略）…模様データは前記したように、図形や文字や記号等を含み、…（中略）…ユーザがこれらを任意に選択できるようになっている。この単位模様データ付与手段２からの信号も表示手段８に送られて表示されると共に、外殻大きさ決定／模様配置調整手段６に送られるように構成されている。
　単位模様データ付与手段２で選択された単位模様の大きさと数は単位模様数設定手段４及び単位模様大きさ設定手段５で設定可能になっている。これら模様の大きさ、数、間隔は初期値として所定のものを付与し、ユーザが必要に応じて変更するようにしても良い。外殻大きさ決定／模様配置調整手段６は、外殻データ付与手段１と単位模様データ付与手段２からの情報及び模様間隔設定手段３、単位模様数設定手段４、単位模様大きさ設定手段５からの設定指令に応じて外殻の大きさを決定し、模様の配置の調整を行うようになっている。…（中略）…このように外殻大きさ決定／模様配置調整手段６により、模様の大きさや数や間隔をユーザの好みのものに設定しても常に適切な単位模様Ｍの配置を自動的に行うことが可能になる。」（段落番号【０００５】〜【０００７】の記載参照）
　
（エ）「刺繍縫い可能なミシンは…（中略）…縫い目データ記憶装置５０に記憶され模様選択釦５２で選択されて読み出された縫い目データに基づいて模様縫いを実行するようになっている。」（段落番号【００１５】の記載参照）
　
（オ）「縫いモード選択釦１０４により外殻縫いが選択されると、ＣＰＵ１００は外殻データ記憶装置１０と単位模様データ記憶装置１１に格納された外殻線Ｌと単位模様Ｍを読み込んで、表示データ生成プログラム記憶装置１５に記憶されたプログラムに従って表示装置１０６に表示するようになっている。外殻データ記憶装置１０には外殻線Ｌのデータとその表示データが記憶されており、単位模様データ記憶装置１１には単位模様Ｍの縫い目データと表示データとが格納されている。ユーザは表示装置１０６を見ながら外殻選択釦２０と単位模様選択釦２１により単位模様Ｍと外殻線Ｌを選択し、また必要に応じて単位模様数設定釦２２により単位模様の数を設定し、更に単位模様大きさ設定釦２３により単位模様の大きさを設定し、更に単位模様間隔設定釦２４により模様の間隔を設定するようになっている。これら模様の大きさ、数、間隔は予め所定の標準値を設定しておき、これを適宜変更するようにするのが望ましい。」（段落番号【００１６】の記載参照）
　
（カ）「図４により動作を説明する。縫いモード選択釦１０４の操作により刺繍縫いモードとされ、更に外殻縫いモードになると（ステップＳ１）、ＣＰＵ１００は外殻データ記憶装置１０から外殻の表示データを読み出して、図５の（Ａ）に示すように表示装置１０６に表示させる（ステップＳ２）。ユーザが外殻選択釦２０を操作して外殻の選択を行い（ステップＳ３）、確認が終了すると（ステップＳ４）、ＣＰＵ１００は選択された外殻データを一時記憶装置５１に記憶させる（ステップＳ５）。次にＣＰＵ１００は単位模様データ記憶装置１１から単位模様の表示データを読み出して、図５の（Ｂ）に示すように表示装置１０６に表示させ（ステップＳ６）、ユーザが単位模様選択釦２１を操作して単位模様の選択を行い（ステップＳ７）、確認が終了すると（ステップＳ８）、ＣＰＵ１００は選択された単位模様データを一時記憶装置５１に記憶させる（ステップＳ９）。更にＣＰＵ１００は、ユーザの単位模様数設定釦２２、単位模様大きさ設定釦２３、単位模様間隔設定釦２４の操作による、模様の大きさと数及び間隔の設定指令に応じて（ステップＳ１０）、外殻の大きさを決定し、図６に示すように模様の配列の調整を行う（ステップＳ１１）。そしてこれを表示装置１０６に表示させ（ステップＳ１２）、確認が終了すると（ステップＳ１３）、ＣＰＵ１００は選択され、配列調整された単位模様データを一時記憶装置５１に記憶させる（ステップＳ１４）。」（段落番号【００１９】の記載参照）
　
（キ）「本発明の外殻模様縫い機能を有する刺繍縫いミシン及びデータの生成装置は、与えられた模様を配列するための情報に基づいて複数連続して配列して刺繍縫いすることが可能であり、刺繍縫いを多様に行うことが可能になる効果がある。また、模様の大きさや数及び間隔を任意に変更可能であり、該変更により外殻の大きさと模様の配列が自動的に調整されるから、簡単に多様な刺繍縫いを行うことが可能になる。」（段落番号【００２１】の記載参照）
　
　以上の記載から、引用文献１には、下記の発明（以下、「引用発明」という。）が記載されているということができる。
　　《引用発明》
　所定の模様に対応する縫い目を形成するためのデータを与えるための手段である単位模様データ付与手段としての「単位模様データ記憶装置」及び「単位模様選択釦」と、
　上記所定の模様を複数個連続的に配列するための配列形状に関する情報を与えるための手段である外殻データ付与手段としての「外殻データ記憶装置」及び「外殻選択釦」と、
　上記単位模様データ付与手段と外殻データ付与手段から入力された信号、
並びに「単位模様大きさ設定手段」、「単位模様数設定手段」及び「模様間隔設定手段」から入力された信号に基づいて外殻の大きさと模様の配列を自動的に調整する「外殻大きさ決定／模様配置調整手段」と、
　調整された模様の配列を表示する表示装置と、
　配列調整された単位模様データを一時記憶装置に記憶させる手段
を備えた外殻模様縫いデータの生成装置。
　
（２）引用文献２の記載事項
　同じく原査定の拒絶の理由に引用された特開平１０−３３７３９０号公報（以下、「引用文献２」という。）には、「刺繍データ生成装置及び刺繍可能なミシン」の発明に関して、以下の事項が図面とともに記載されている。
　
（ク）「【請求項１】被刺繍対象物を保持する機構と、該保持する機構と相対移動することにより刺繍縫いを実行する縫い機構と、を備えた刺繍縫い装置のための刺繍データを生成するための装置であって、
　被刺繍模様を縫うための縫い目データと、被刺繍模様を表示するための表示データと、を備えた複数の模様データを記憶するための手段と、
　該複数の模様データの中の任意の模様データを選択するための手段と、
　前記選択された模様データの模様を表示するための手段と、
　該表示された複数の模様間の位置を設定するための手段と、
　複数の模様が表示され、該模様間の位置が設定された時、該複数の模様が前記保持する機構による刺繍可能範囲内に納まるか否か判断するための手段と、
　該判断するための手段が前記刺繍可能範囲内に納まると判断した時、１の基準位置に基づいて模様の縫い目データを修正するための手段と、
　を備えたことを特徴とする刺繍データ生成装置。
…（中略）…
【請求項４】前記保持する機構が布を保持する枠を有し、前記刺繍縫いが該枠内で実行され、前記表示するための手段が該枠形状を刺繍可能範囲として表示する、請求項１又は２又は３に記載の表示装置。」（【特許請求の範囲】）
　
（ケ）「模様データ記憶装置３には複数の模様データが格納されており、各模様を縫うための縫い目データと該模様と刺繍枠及び基準マークの表示データを備え、これらの表示を行うようになっている。ユーザは模様選択釦１３により模様の選択を行い、選択された模様が表示制御装置１０を介して表示装置１１に表示されるようになっている。…（中略）…　各模様Ｍの位置は模様位置釦１４により設定及び修正が可能であり、ユーザは表示装置１１を見ながら、好ましい位置に模様Ｍを配置することが出来るようになっている。…（中略）…模様位置釦１４を操作することにより模様Ｍの位置をユーザが任意に設定できるようになっている。判断装置７は複数の模様の位置設定がなされたら、該模様が刺繍可能範囲内に納まるか否か判定するように構成されている。刺繍可能範囲は、この実施形態では枠Ｗであるから、該枠Ｗに納まるか否か判定する。」（段落番号【０００６】〜【０００９】の記載参照）
　
（コ）「本発明のデータ生成装置及び刺繍可能なミシンによれば、多数の模様を選択した場合、その位置を調整することにより１回で刺繍可能な範囲に納めることが可能になり、刺繍枠の取り付け替えの回数を減少させることが可能になる。また刺繍可能範囲に納まらない場合には、模様間の距離が表示されるから、正確に複数回の刺繍を繰り返して多数の模様や大きな模様の刺繍を簡単に行える効果がある。」（段落番号【００１５】の記載参照）
　
　以上の記載から見て、引用文献２には、模様データ記憶装置に記憶された複数の模様から選択された模様の位置を設定して刺繍を行う際に選択された模様が１回で刺繍可能な範囲即ち刺繍枠の範囲に収まるか否かを判断する手段を設けた刺繍データ生成装置に関する事項が記載されている。
　
　４．対比
　本願補正発明と上記引用発明とを対比する。
（１）引用発明の「外殻模様縫い」は、刺繍ミシンによって生成されるものであり、
　「単位模様データ」及び「単位模様大きさ」は、所定の模様に対応する縫い目すなわち刺繍模様を形成するデータであり、
　「外殻データ」、「単位模様数」及び「単位模様間隔」は、上記模様を配列するための配列形状に関する情報を与えるためのデータである。
　そうすると、引用発明の「外殻模様縫いデータ」は、本願補正発明の「刺繍データ」に相当し、同様に、
　「単位模様データ記憶装置」は、「刺繍すべき複数の模様に関するデータを記憶する記憶装置」に、
　「単位模様選択釦」は、「該複数の模様から任意の模様を選択する模様選択装置」に、
　「外殻データ記憶装置」は、「該模様の予め決められた複数の配置タイプを記憶する記憶装置」に、
　「外殻選択釦」は、「該記憶された配置タイプから任意の配置タイプを選択する配置タイプ選択装置」に、
　それぞれ相当する。
　また、引用発明の「外殻模様縫いデータの生成装置」は、本願補正発明の「刺繍データ作成装置」に相当する。
　
（２）引用発明において「単位模様データ記憶装置」及び「単位模様選択釦」からなる「単位模様データ付与手段」、並びに「外殻データ記憶装置」及び「外殻選択釦」からなる「外殻データ付与手段」から入力された信号等に基づいて、外殻の大きさと模様の配列を自動的に調整する「外殻大きさ決定／模様配置調整手段」は、本願補正発明の「オートレイアウト装置」に相当する。
　また、引用発明の「調整された模様の配列」は、本願補正発明の「選択された模様を前記オートレイアウト装置」「により決定された配置」に相当する。したがって、引用発明の「調整された模様の配列を表示する表示装置」と、本願補正発明の「選択された模様を前記オートレイアウト装置又は区域分割／配置装置により決定された配置で表示する手段」とは、「選択された模様を前記オートレイアウト装置により決定された配置で表示する手段」である限りにおいて、相当する
　そして、引用発明において一時記憶装置に記憶される「配列調整された単位模様データ」は、選択された模様を選択された配置で刺繍するものであるから、本願補正発明の「前記模様を前記配置で刺繍する」「刺繍データ」に相当する。
　
（３）してみれば、本願補正発明と引用発明との一致点及び相違点は、以下のとおりとなる。
　　《一致点》
　刺繍すべき複数の模様に関するデータを記憶する記憶装置と、
　該複数の模様から任意の模様を選択する模様選択装置と、
　該模様の予め決められた複数の配置タイプを記憶する記憶装置と、該記憶された配置タイプから任意の配置タイプを選択する配置タイプ選択装置と、を有するオートレイアウト装置と、
前記選択された模様を前記オートレイアウト装置により決定された配置で表示する手段と
　前記模様を前記配置で刺繍するように刺繍データを生成するための手段と、を備えた刺繍データ作成装置。
　
　　《相違点１》
　本願補正発明が、上記オートレイアウト装置に加えてさらに「前記模様の刺繍対象範囲を所定区域に分割し、該区域の中の１の区域について前記模様選択装置により模様を選択し、位置を設定することにより、分割されたすべての区域に同一の模様を同一の位置に配置する区域分割／配置装置」を備えているのに対し、引用発明は、そのような「区域分割／配置装置」を備えるとはしていない点。
　
　　《相違点２》
　本願補正発明がさらに、「刺繍する範囲の大きさと刺繍枠の大きさに関する情報を与える手段と、該大きさに基づいて刺繍枠の付け替えを行わずに１回縫いできるか刺繍枠の付け替えを行い複数回縫いを行う必要があるかを判断する手段」を備えるのに対し、引用発明は、そのような手段を備えていない点。
　
　５．判断
　そこで上記相違点について検討する。
（１）相違点１について
　布帛のような平面上に模様を配置する場合、同一の模様を、一定の間隔で配置することは、本願出願前から普通に行われていることであり、そのような配置を行うに際し、模様を配置する平面を等分して区画し、各区画の所定位置に模様を配置した意匠を単位意匠として、該単位意匠を、平面上で連続して形成し、全体の模様の配置とすることは、染めや織りなどの分野で普通に行われている周知の技術的事項である。そして、この周知の技術的事項を刺繍による模様を形成する技術として採用することに、格別な技術的な困難も、格別な技術的意義も認められない。
　現に、刺繍対象範囲を４象限に分割し、各象限に同一の模様を同一の位置に配置する（本願明細書段落【００１０】参照）ことは、例えば、本願明細書の段落【０００４】に開示された、特開平１１−１６４９７４号公報の図４に示されており、周知の技術的事項であるし、複数の刺繍模様を配置領域に均等に配置することなどにより、「刺繍対象範囲を所定区域に分割し」「分割されたすべての区域に」「模様を同一の位置に配置する」状態を自動的に実現する配置装置も、例えば、特開平９−１７６９５２号公報の段落【００４８】及び図１２に示されており、周知の技術的事項である。
　そうすると、外殻の大きさと模様の配列を自動的に調整する「外殻大きさ決定／模様配置調整手段」を備えた引用発明に、刺繍対象範囲を所定区域に分割し、選択した同一の模様を各所定区域の同一の位置に自動的に配置する装置を追加して、相違点１に係る本願補正発明の構成とすることは、上記周知の技術的事項に基づいて、当業者が容易に想到し得たことである。
　
（２）相違点２について
　刺繍ミシンにおいて、刺繍されるべき模様が刺繍対象物を保持する刺繍枠の範囲内に納まるか否か、すなわち、模様の形成に刺繍枠の付け替えが必要であるか否かを判断することは、刺繍の実施に際して普通に行われていることであり、引用文献２には、刺繍データ生成装置に上記判断のための手段を設けることが記載されており、そのような判断手段を引用発明に係る「外殻模様縫いデータの生成装置」に設けることも当業者が容易に想到し得たことである。そして、上記判断のために、「刺繍する範囲の大きさと刺繍枠の大きさに関する情報」が不可欠であることは自明であるので、該情報を与える手段を上記の判断手段に設けることも当業者が当然行うべき、単なる設計的事項である。
　
（３）そして、本願補正発明が奏する効果も、引用発明及び引用文献２に記載された発明、並びに本願出願前周知の技術的事項から当業者が予測できたものであって、格別顕著なものとはいえない。
　したがって、本願補正発明は、引用発明及び引用文献２に記載された発明、並びに本願出願前周知の技術的事項に基づいて当業者が容易に発明をすることができたものである。
　
　６．むすび
　上記のとおり、本願補正発明は、引用文献１及び２に記載された発明及び本願出願前周知の技術的事項に基づいて当業者が容易に発明をすることができたものであり、特許法第２９条第２項の規定により特許出願の際に独立して特許を受けることのできないものであるから、本件補正は、平成１８年法律第５５号改正附則第３条第１項によりなお従前の例によるとされる同法による改正前の特許法第１７条の２第５項において準用する同法第１２６条第５項の規定に違反するものであるので、同法第１５９条第１項において読み替えて準用する同法第５３条第１項の規定により却下すべきものである。
　
第３．本願発明について
　１．本願発明
　平成２３年１２月２８日付けの手続補正は上記のとおり却下されたので、本願の請求項１ないし８に係る発明は、平成２２年９月３日付けで補正された明細書の特許請求の範囲の請求項１ないし８に記載された事項により特定されるとおりのものである。そして、その請求項１の記載は、以下のとおりである（以下、これによって特定される発明を「本願発明」という。）。
　　《本願発明》
　刺繍すべき模様を与えるための手段と、
　該模様の予め決められた配置を選択する手段と、
　前記模様を前記選択された配置で表示する手段と、
　前記模様を前記選択された配置で刺繍するように刺繍データを生成するための手段と、
　刺繍する範囲の大きさと刺繍枠の大きさに関する情報を与える手段と、
　該大きさに基づいて刺繍枠の付け替えを行わずに１回縫いできるか刺繍枠の付け替えを行い複数回縫いを行う必要があるかを判断する手段と、
　を備えた刺繍データ作成装置。
　
　２．引用文献及びその記載事項
　原査定の拒絶の理由に引用された引用文献１及び引用文献２、並びにそれらの記載事項は、前記「第２」「３．引用文献の記載事項」に記載したとおりである。
　
　３．対比・判断
　本願発明と、前記「第２」「３．」「（１）」に記載した引用発明とを対比すると、引用発明の「単位模様データ付与手段」、「外殻データ付与手段」、「調整された模様の配列を表示する表示装置」、「外殻大きさ決定／模様配置調整手段」及び「外殻模様縫いデータの生成装置」が、それぞれ本願発明の「刺繍すべき模様を与えるための手段」、「該模様の予め決められた配置を選択する手段」、「前記模様を前記選択された配置で表示する手段」、「前記模様を前記選択された配置で刺繍するように刺繍データを生成するための手段」及び「刺繍データ作成装置」に相当する。
　したがって、本願発明と上記引用発明との一致点及び相違点は、以下のとおりである。
　　《一致点》
　刺繍すべき模様を与えるための手段と、
　該模様の予め決められた配置を選択する手段と、
　前記模様を前記選択された配置で表示する手段と、
　前記模様を前記選択された配置で刺繍するように刺繍データを生成するための手段
を備えた刺繍データ作成装置。
　
　　《相違点》
　本願発明が「刺繍する範囲の大きさと刺繍枠の大きさに関する情報を与える手段と、該大きさに基づいて刺繍枠の付け替えを行わずに１回縫いできるか刺繍枠の付け替えを行い複数回縫いを行う必要があるかを判断する手段」を備えるのに対し、引用発明は、そのような手段を備えていない点。
　
　そして上記相違点は、上記「第２」「４．対比」で検討した《相違点２》と同じであり、上記「第２」「５．判断」で述べたとおり、引用文献２に記載された技術的事項を引用発明に適用することは、当業者が容易になし得たことであり、本願発明が奏する効果も、引用発明及び引用文献２に記載された発明から当業者が予測できたものであって、格別顕著なものではない。
　したがって、本願発明は、引用文献１及び２に記載された発明に基づいて当業者が容易に発明をすることができたものであり、特許法第２９条第２項の規定により、特許を受けることができない。
　
　４．むすび
　以上のとおり、本願発明（本願請求項１に係る発明）は、特許法第２９条第２項の規定により特許を受けることができないので、他の請求項に係る発明について検討するまでもなく、本願は拒絶すべきものである。
　よって、結論のとおり審決する。